(57)【要約】【課題】排尿などにより受液した際、素早く濡れ広がることで、拡散性や液透過性が改善され、液戻り防止性を向上させる特徴を有する吸収性物品を提供する。【解決手段】本発明の吸収性物品１は、液透過性のトップシート１０と、液不透過性のバックシート２０と、前記トップシート１０及び前記バックシート２０の間に高吸収性ポリマーが担持されたセルロースアセテートトウからなる吸収体３０とを有し、前記トップシート１０と前記吸収体３０との間に、複数の漏斗状の開孔を有する開孔フィルム５０が配置された吸収性物品１であって、前記開孔フィルム５０は、厚み方向で一方の面の開孔径が小さく、他方の面の開孔径が大きい開孔が施され、開孔径の大きい側の開孔が前記吸収体３０側を向くように配置されていることを特徴とする。【選択図】図１
2020120936.tif 000002
【特許請求の範囲】
【請求項１】
液透過性のトップシートと、液不透過性のバックシートと、前記トップシート及び前記バックシートの間に高吸収性ポリマーが担持されたセルロースアセテートトウからなる吸収体とを有し、
前記トップシートと前記吸収体との間に、複数の漏斗状の開孔を有する開孔フィルムが配置された吸収性物品であって、
前記開孔フィルムは、厚み方向で一方の面の開孔径が小さく、他方の面の開孔径が大きい開孔が施され、開孔径の大きい側の開孔が前記吸収体側を向くように配置されていることを特徴とする、吸収性物品。
【請求項２】
前記開孔フィルムの開孔径が２ｍｍ以下であり、該開孔の数が５０個／ｃｍ２以上であり、坪量が２０ｇ／ｍ２以上６０ｇ／ｍ２以下であることを特徴とする、請求項１に記載の吸収性物品。
【請求項３】
前記開孔径が大きい一方の面の開孔径と、前記開孔径が小さい他方の面の開孔径の差が、０．０３ｍｍ以上０．１５ｍｍ以下であることを特徴とする、請求項１又は２に記載の吸収性物品。
【請求項４】
前記トップシートと前記開孔フィルムとの間に、液拡散性のセカンドシートが配置されることを特徴とする、請求項１から３のいずれか１項に記載の吸収性物品。
【請求項５】
前記セカンドシートの坪量が１０ｇ／ｍ２以上６０ｇ／ｍ２以下であることを特徴とする、請求項１から４のいずれか１項に記載の吸収性物品。
【発明の詳細な説明】
【技術分野】
【０００１】
本発明は、開孔フィルムを具備した吸収性物品に関する。
【背景技術】
【０００２】
一般的に、軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。このような吸収性物品には、体液の吸収性の向上、着用者の装着感の向上、漏れ防止等を図るために、様々な工夫がなされている。
【０００３】
例えば、開孔フィルムを吸収性物品の所定の位置に設けることによって、ウェットバックや吸収速度などの吸収性能を向上させる技術がある。該開孔フィルムの開口面積は肌側面と非肌側面で、肌側＞非肌側とすることで、ウェットバックや吸収速度を向上するというものである。
【０００４】
開孔フィルムを用いた吸収性物品として、例えば、特許文献１は、液透過性の表面材、液体保持性の吸収材及び液不透過性の防漏材を有する吸収性物品において、表面材は、少なくとも、肌当接面層と非肌当接面層とを積層一体化してなる液透過性シートからなり、上記肌当接面層は、熱可塑性樹脂からなる開孔フィルム又は合成繊維からなる不織布により形成される技術が開示されている。
【０００５】
また、特許文献２は、高吸収性ポリマー（ｓｕｐｅｒａｂｓｏｒｂｅｎｔ ｐｏｌｙｍｅｒ，ＳＡＰ）及びフラッフパルプのうち少なくとも一つを吸収体成分として含む吸収体層を有する吸収体において、吸収体は、吸収体層に接して配置され、かつ、耐水性、高通気性合成樹脂製開孔フィルムからなる吸収体被覆層を備え、吸収体被覆層は、吸収体成分の吸収体からの離脱を防止するとともに、形態安定性を保持するように構成されており、開孔フィルムは頭頂部の開孔が小さく、底部の開孔が大きい漏斗状構造の多数の突起部を有し、その突起部の頭頂部が吸収体層に接するように配置される吸収体が開示されている。
【０００６】
特許文献３は、トウの複数本の繊維を気体により開繊させ、吸水性の粒状物をトウに添加し、バインダをトウに添着させることによる、吸水性物品の製造方法が開示されている。本製造方法によれば、セルロースアセテートトウを開繊させて、その繊維に高吸収性ポリマーを高担持させることができる。
【先行技術文献】
【特許文献】
【０００７】
【特許文献１】特開２０１０−２３３９７０号公報
【発明の概要】
【発明が解決しようとする課題】
【０００８】
しかしながら、上記開孔フィルムを設けた特許文献１では、いずれもウェットバックなどの液戻り防止性や吸収速度に優れているものの、吸収性物品における液体の拡散性には効果があるものとはいえず、吸収体の吸収性能を十分に発揮できていない。また、特許文献２は、従来の非肌側面よりも肌側面の開口面積が小さい開孔フィルムを用い、開口面積の小さい面が吸収体に接するような構成となっている。しかし、この場合であっても上記液体の拡散性を良化させるという技術思想はない。
【０００９】
また、特許文献３は、セルロースアセテートトウはフラッフパルプに比べて、柔らかさをもたらす吸収体であるものの、水の保持力が弱く、液戻り防止効果が不十分との欠点があった。また、液透過性が遅く、吸水性物品に使用する吸収体の性能としては不十分の欠点もあった。
【００１０】
上記の文献のように、生理用ナプキンや使い捨ておむつの受液側表面材として、開孔フィルムが用いられているものがあり、開孔フィルムを配置することで液透過性、液戻り防止性が改善される。しかし、開孔フィルムは通常の不織布よりも高価なものが多いにもかかわらず、より有益な液透過性、液戻り防止性を示すには不十分であり、樹脂フィルムであるが故、肌触り面で硬さを感じられた。
【００１１】
したがって、本発明は以上の課題に鑑みてなされたものであり、本発明は、排尿などにより受液した際、素早く濡れ広がることで、拡散性や液透過性が改善され、液戻り防止性を向上させる特徴を有する吸収性物品を提供することを目的とする。
【００１２】
詳しくは、トップシートと吸収体の間に開孔フィルムを配置し、セルロースアセテートトウとＳＡＰからなる吸収体を配置することで、上記開孔フィルムの樹脂フィルムの硬さを緩和することができ、かつ、排出された尿を吸収性物品全体に拡散させることによって、吸収体全体に広く液体を吸収させ、結果的に液戻り防止性を向上させることができる、吸収性物品を提供することを目的とする。
【課題を解決するための手段】
【００１３】
本発明の発明者らは、上記課題に鑑み、鋭意研究を行った。その結果、開孔フィルムをトップシートと吸収体との間に設け、且つ、ＳＡＰが担持されたセルロールアセテートトウからなる吸収体を設けることで上記課題を解決することを見出し、本発明を完成するに至った。具体的には、本発明は、以下のものを提供する。
【００１４】
（１）本発明の第１の態様は、液透過性のトップシートと、液不透過性のバックシートと、前記トップシート及び前記バックシートの間に配置される吸収体とを有し、前記トップシートと前記吸収体との間に、複数の漏斗状の開孔を有する開孔フィルムが配置された吸収性物品であって、前記開孔フィルムは、厚み方向で一方の面の開孔径が小さく、他方の面の開孔径が大きい開孔が施され、開孔径の大きい側の開孔が前記吸収体側を向くように配置された吸収性物品であって、前記吸収体は高吸収性ポリマーが担持されたセルロースアセテートトウから構成されていることを特徴とする、吸収性物品である。
【００１５】
（２）本発明の第２の態様は、（１）に記載の吸収性物品であって、前記開孔フィルムの開孔径が２ｍｍ以下であり、該開孔の数が５０個／ｃｍ２以上であり、坪量が２０ｇ／ｍ２以上６０ｇ／ｍ２以下であることを特徴とするものである。
【００１６】
（３）本発明の第３の態様は、（１）又は（２）に記載の吸収性物品であって、前記開孔径が大きい一方の面の開孔径と、前記開孔径が小さい他方の面の開孔径の差が、０．０３ｍｍ以上０．１５ｍｍ以下であることを特徴とするものである。
【００１７】
（４）本発明の第４の態様は、（１）から（３）のいずれかに記載の吸収性物品であって、前記トップシートと前記開孔フィルムとの間に、液拡散性のセカンドシートが配置されることを特徴とするものである。
【００１８】
（５）本発明の第５の態様は、（１）から（４）のいずれかに記載の吸収性物品であって、前記セカンドシートの坪量が１０ｇ／ｍ２以上６０ｇ／ｍ２以下であることを特徴とするものである。
【発明の効果】
【００１９】
本発明によれば、開孔フィルムにより、吸収体（下方向）への浸透に加え、横方向（前後左右）への拡散にも優れ、結果として、排尿などにより受液した際、素早く濡れ広がることで、拡散性や液透過性が改善され、液戻り防止性を向上させることができ、更に、セルロースアセテートトウとＳＡＰの吸収体により、吸収性物品自体が柔らかくさせることができる、吸収性物品を提供することができる。
【図面の簡単な説明】
【００２０】
【図１】本発明の吸収性物品の平面図である。
【図２】図１のＸ１−Ｘ１の断面図である。
【図３】本発明の開孔フィルムの断面図である。
【発明を実施するための形態】
【００２１】
以下、本発明について、詳細に説明する。
【００２２】
以下、添付図面を参照して、本発明を実施するための形態（以下、実施形態）について詳細に説明するが、これらは例示の目的で掲げたもので、これらにより本発明を限定するものではない。なお、実施形態の説明の全体を通して同じ要素には同じ符号を付する。
【００２３】
また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。
【００２４】
また、吸収性物品１の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。
【００２５】
さらに、吸収性物品１としては、ベビー用又は成人用を問わず、軽失禁パッド、パンツ型紙おむつ、テープ止め紙おむつが例示されるが、これに限定されるものではなく、その他の吸収性物品であってもよい。
【００２６】
＜吸収性物品＞
図１は、本発明の実施形態に係る吸収性物品１をトップシート１０側から見た平面図である。図１に示すように、吸収性物品１は、肌当接面側に配された液透過性のトップシート１０と、トップシート１０に対向して非肌当接面側に配置された液不透過性のバックシート２０と、トップシート１０とバックシート２０との間に配置された吸収体３０と、を備える。これにより、吸収体３０は、トップシート１０とバックシート２０の間に挟まれた構造となっている。
【００２７】
吸収性物品１の、長手方向の寸法は１００ｍｍ以上８００ｍｍ以下、幅方向の寸法は５０ｍｍ以上５００ｍｍであることが好ましい。吸収性物品１の寸法を上記の範囲に調整することにより、軽失禁パッド、パンツ型紙おむつ、テープ止め紙おむつ等に適した吸収性物品１を得ることができる。
【００２８】
また、吸収性物品１には、図２に示すように、使用者の排泄した体液の横漏れを防止するため、吸収性物品１の長手方向に沿って、トップシート１０上に、立体ギャザー用弾性部材を有する一対の立体ギャザー７０を備えていてもよい。吸収性物品１の幅方向における立体ギャザー７０の外端は、バックシートに固定され、その内端はトップシート１０に固着され、その中央はトップシート１０に固定されない自由端となるように、立体ギャザーシートが配される。立体ギャザー用弾性部材を長手方向に沿って設けることで、立体ギャザー７０が起立性を有し、着用者の体型に合わせて変形可能なものとなる。
立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は液不透過性の不織布、例えば、スパンボンド不織布やメルトブロー不織布、スパンボンド／メルトブロー／スパンボンドを積層した複合不織布等が使用される。
【００２９】
＜トップシート＞
トップシート１０は、体液が吸収体３０へと移動するような液透過性を備えた基材から形成されればよく、例えば、エアスルー不織布、サーマルボンド不織布、スパンボンド不織布等の不織布、サーマルボンド／スパンボンドを積層した複合不織布、ウレタンフォーム等の発泡フィルム、あるいは、これらを積層した複合シートといった材料から形成される。
また、トップシート１０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート１０には、ローション、酸化防止剤、抗炎症成分、ｐＨ調整剤、抗菌剤、保湿剤等を含有させてもよい。
【００３０】
強度、加工性及び液戻り量の点から、トップシート１０の坪量は、１８ｇ／ｍ２以上４０ｇ／ｍ２以下であることが好ましい。トップシート１０の形状としては特に制限はないが、漏れがないように体液を吸収体３０へと誘導するために必要とされる、吸収体３０を覆う形状であればよい。
【００３１】
＜バックシート＞
バックシート２０は、吸収体３０が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。
また、樹脂フィルムとしては、例えば、ポリエステル、ポリビニルアルコール、ポリエチレン、ポリプロピレン、ポリエチレンとポリプロピレンの複合フィルム等が挙げられる。
【００３２】
強度及び加工性の点から、バックシート２０の坪量は、１５ｇ／ｍ２以上６０ｇ／ｍ２以下であることが好ましい。また、装着時の蒸れを防止するため、バックシート２０には、通気性を持たせることが好ましい。バックシート２０に通気性を備えさせるためには、例えば、基材の樹脂フィルムにフィラーを配合したり、バックシート２０にエンボス加工を施したりすればよい。
なお、フィラーとしては炭酸カルシウムを挙げることができ、その配合方法は、公知の方法を制限なく行うことができる。
【００３３】
＜開孔フィルム＞
本発明においては、トップシート１０と吸収体３０との間に、複数の漏斗状の開孔を有する開孔フィルム５０が配されている。
開孔フィルム５０は、体液が吸収体３０へと移動するような液透過性、液拡散性を備えていることが好ましく、開孔フィルム５０の形状としては特に制限はないが、強度、加工性の点から、開孔フィルム５０の坪量は、２０ｇ／ｍ２以上６０ｇ／ｍ２以下であることが好ましく、２３ｇ／ｍ２以上３０ｇ／ｍ２以下であることがより好ましい。２０ｇ／ｍ２より小さい場合、フィルムが破断しやすく好ましくない。また、６０ｇ／ｍ２よりも大きい場合、肌触りが硬くなってしまうため好ましくない。
また、液透過性の点から、開孔の数は５０個／ｃｍ２以上が好ましい。開孔数が５０個／ｃｍ２より少ない場合、フィルムの硬さが目立ち、且つ、液透過性が悪くなるため好ましくない。さらに、液拡散性の点で、開孔径は２ｍｍ以下であることが好ましく、０．５０ｍｍ以上０．６５ｍｍ以下がより好ましい。開孔径が０．５０ｍｍより小さい場合、液透過性が悪くなるため好ましくなく、０．６５ｍｍより大きい場合、フィルムの強度、加工性の点から好ましくない。なお、ここで、「開孔径」とは、開孔フィルム７０を株式会社キーエンス製３Ｄ顕微鏡（ＶＲ−３１００）で撮影し、任意に選んだ３つの開孔の直径を測定した平均値である。
開孔フィルム５０の開孔の数、開孔径及び坪量を上記の範囲とすることにより、強度及び加工性の点で優れ、液透過性や液拡散性に優れた開孔フィルム５０が得られる。
なお、開孔フィルム５０の材質は、ポリエチレン、ポリプロピレンが好ましく、特に、ポリエチレンが好ましい。
【００３４】
また、開孔フィルム５０は、図３に示すように、厚み方向で一方の面の開孔径Ｌ１は小さく、他方の面の開孔径Ｌ２が大きいという開孔が施されている。従来の吸収性物品に用いられている開孔フィルムは、漏斗の開孔径の小さい方、すなわち開孔径Ｌ１の側の開孔が吸収体側を向くように配置されているが、本発明の開孔フィルム５０は裏表が逆となり、開孔径Ｌ２の側の開孔が吸収体３０側を向くように配置されている。
これにより、下部の吸収体３０への浸透に加え、横方向（前後左右）への拡散にも優れる吸収性物品１を得ることができる。
また、開孔径Ｌ１の側の開孔が吸収体３０を向くように配置されることにより、開孔フィルム５０を通過して吸収体３０に吸収された液体が、トップシート１０側へ液戻りし難くなる効果も得られる。
なお、液拡散性の点から、開孔径が大きい一方の面の開孔径Ｌ２と、開孔径が小さい他方の面の開孔径Ｌ１の差が、０．０３ｍｍ以上０．１５ｍｍ以下であることが好ましい。開孔径Ｌ１の差が、０．０３ｍｍより小さい場合、横方向への液の拡散性が悪くなり、０．１５ｍｍより大きい場合、フィルムの強度、加工性の点で好ましくない。
【００３５】
＜吸収体＞
本発明の吸収性物品１において、吸収体３０は高吸収性ポリマーが担持されたセルロールアセテートトウにより構成される。吸収体３０の長手方向の最長幅の寸法ＬＯは、１００ｍｍ以上８００ｍｍ以下であることが好ましく、１５０ｍｍ以上５００ｍｍ以下であることがより好ましい。
また、吸収体３０の幅方向の最長幅の寸法ＷＯは、５０ｍｍ以上５００ｍｍ以下であることが好ましく、７０ｍｍ以上１０５ｍｍ以下であることがより好ましい。また、吸収体はキャリアシート６０で覆われて配置してもよい。
【００３６】
（高吸収性ポリマーが担持されたセルロースアセテートトウ）
高吸収性ポリマーが担持されたセルロースアセテートトウに用いられる高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００３７】
また、セルロースアセテートトウに担持されるＳＡＰの坪量は、２４０ｇ／ｍ２以上４５０ｇ／ｍ２以下であることが好ましく、２４５ｇ／ｍ２以上４４５ｇ／ｍ２以下であることがより好ましい。上記の数値範囲内とすることで、吸収体３０におけるゲルブロッキングを防止し、かつ、吸収体３０において多量の体液を吸収させることができる。
セルロースアセテートトウは開繊されていることが好ましく、開繊されたセルロースアセテートトウの坪量は、４０ｇ／ｍ２以上９０ｇ／ｍ２以下であることが好ましく、４５ｇ／ｍ２以上８５ｇ／ｍ２以下であることがより好ましい。上記数値範囲内とすることで、吸収体３０の形成に支障がなく、且つ、ＳＡＰの保持性能にも問題がない。
【００３８】
吸収体３０において、セルロースアセテートトウ及びＳＡＰの形態は、セルロースアセテートトウ中にＳＡＰ粒子を混合して形成したものでもよく、セルロースアセテートトウ間にＳＡＰ粒子を固着したＳＡＰシートでもよい。また、ＳＡＰ粒子の漏洩防止や吸収体３０の形状の安定化の目的から、吸収体３０をキャリアシート６０に包んでもよい。キャリアシート６０の基材としては親水性を有するものであればよく、ティシュ、吸収紙、エアレイド不織布等の親水性不織布を挙げることができる。キャリアシート６０を複数備える場合は、複数のキャリアシート６０の基材は同一のものであっても異なるものであってもよい。
【００３９】
＜セカンドシート＞
また、図２に示すように、トップシート１０と開孔フィルム５０との間には、吸収性物品１の液拡散性を向上させ、かつ、開孔フィルム５０の硬さを抑制し、肌触りを良くするために、液拡散性のセカンドシート４０を配置することが好ましい。
セカンドシート４０の基材は、体液の透過速度がトップシート１０より速く、体液を吸収体３０へ素早く拡散するものであればよく、例えば、親水性不織布、特に、エアスルー不織布が好ましい。
セカンドシート４０の厚さは、０．１ｍｍ以上が好ましく、その坪量は、１０ｇ／ｍ２以上６０ｇ／ｍ２以下が好ましく、１５ｇ／ｍ２以上４０ｇ／ｍ２以下がより好ましい。
厚さが０．１ｍｍ未満、又は、坪量が１０ｇ／ｍ２未満もしくは６０ｇ／ｍ２より大きいと、吸収体３０の上面全体への液体の拡散が十分に行われない。また、セカンドシート４０の形状は、特に制限はないが、体液が、くまなく吸収体３０に拡散するように、吸収体３０の表面を完全に覆うことができる形状であることが好ましい。
【００４０】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００４１】
以下、本発明について、実施例を挙げて詳細に説明する。なお、本発明は、以下に示す実施例に何ら限定されるものではない。
【００４２】
（吸収性物品の作成）
吸収体３０は、開繊されたセルロースアセテートトウ（坪量７０ｇ／ｍ２）にＳＡＰ（５．０ｇ）を分散させたものを使用し、トップシート１０として、エアスルー不織布（坪量２５ｇ／ｍ２）を用い、液不透過性のバックシート２０として、通気性ポリエチレンシート（坪量３２ｇ／ｍ２）を用い、セカンドシート４０としてエアスルー不織布（坪量３０ｇ／ｍ２）、立体ギャザー７０として、スパンボンド／メルトブローン／スパンボンドを積層した複合不織布（坪量１５ｇ／ｍ２）、上下キャリアシートを用いた。また、セカンドシート４０の下に開孔フィルム（坪量２６ｇ／ｍ２、開孔数１００個／ｃｍ２）５０を、開孔径の小さい側をセカンドシート４０側として配置し、吸収性物品１の寸法は、長手方向が２７３ｍｍ、幅１０５ｍｍとし、吸収体３０の寸法は、長手方向が２２０ｍｍ、幅７１ｍｍとし、これを実施例のサンプルとした。
【００４３】
比較例１において、開孔フィルムを入れず、セルロースアセテートトウの代わりにフラッフパルプ７．０ｇを用いた以外は、実施例のサンプルと同様にして吸収性物品を作成し、比較例１のサンプルとした。また、比較例２において、セカンドシートの下に開孔フィルム（坪量２６ｇ／ｍ２）を、開孔径の大きい側をセカンドシート側として配置した以外は、実施例と同様にして吸収性物品を作成し、比較例２のサンプルとした。
【００４４】
（吸収性物品表面の肌触り）
８名のパネラーが、吸収性物品の表面の肌触り感を評価した。吸収性物品の表面を触り、「表面が柔らかく感じた」評価者が６人以上８人以下のときを「○」、「表面が柔らかく感じた」評価者が３人以上５人以下のときを「△」、「表面が柔らかく感じた」評価者が１人もしくは２人のとき、又は「表面が柔らかく感じた」評価者が１人もいないときを「×」とした。結果を表１に示した。
【００４５】
（吸収速度）
底面積１６．８ｃｍ２の円柱の中央に内径１９ｍｍの穴が開いており、重さを７５５．６ｇとした測定冶具を、吸収性物品の長手方向、かつ幅方向の中央部の上に置き、上部の穴から生理食塩水それぞれ４０ｍｌを投下し、生理食塩水が吸収性物品に接触した時点から治具中央円内の円周に液体が完全に吸い込まれるところを終点として時間を計測し、結果を表１に示した。
【００４６】
（液戻り量）
トップシート１０を上に向けた状態で、生理食塩水１２０ｍｌを吸収体３０の中心部に向かって注水し、１０分間放置した後、生理食塩水の吸収部位に、あらかじめ重量を測定したろ紙（ＡＤＶＡＮＴＥＣ社製  Ｎｏ．２  ろ紙、直径５５ｍｍ）を置き、その上に３５ｋｇｆ／ｃｍ２の錘を乗せ、３０秒経過後、ろ紙の重量を測り、ろ紙の重量差を液戻り量とした。結果を表１に示した。
【００４７】
（濡れ広がり性）
トップシート１０を上に向けた状態で、生理食塩水１２０ｍｌを吸収体の中心部に向かって注水し、吸収部位から製品長手方向に生理食塩水が１０ｃｍ広がるまでの時間を計測し、濡れ広がり性を評価した。結果を表１に示した。
【００４８】
【表１】
2020120936.tif 000003
【００４９】
表１の結果から、開孔フィルムを含まない比較例１は表面の肌触りが悪く、模擬尿（生理食塩水）の横方向への拡散、吸収速度に劣り、液戻り量も多かった。開孔フィルムを含むが、開孔フィルムの開孔径が大きい方が肌側を向く比較例２は、表面の肌触りが良く、液戻り量も比較例１よりは少ないものの、横方向への拡散及び吸収速度に劣り、特に吸収速度は比較例１よりも遅いという結果となった。比較例３は、表面の肌触りが悪く、吸収速度が遅い結果となった。
一方、開孔フィルム５０の開孔径が小さい方が肌側を向く実施例は、表面の肌触りが良く、横方向への拡散及び吸収速度に優れ、液戻りもしにくいということが分かった。
【００５０】
よって、本発明によれば、排尿などにより受液した際、素早く濡れ広がることで、拡散性や液透過性が改善され、液戻り防止性を向上させることができる、吸収性物品を提供することができる。
【符号の説明】
【００５１】
１                      吸収性物品
１０                    トップシート
２０                    バックシート
３０                    吸収体
４０                    セカンドシート
５０                    開孔フィルム
６０                    キャリアシート
７０                    立体ギャザー
【図１】
2020120936.tif 000004
【図２】
2020120936.tif 000005
【図３】
2020120936.tif 000006